(57)【要約】【課題】無電気で効果的に融雪することができ、しかも、それを、大掛かりにならず、簡素な構造で実現することができる融雪構造と、小屋裏の温度を無電気で効果的に改善することができる小屋裏温度改善構造を提供する。【解決手段】融雪構造は、例えば金属製屋根板３の裏面部に、カーボンシート２が、有雪部分１ｂと、日射を受ける無雪部分１ａとにわたすように設けられている。小屋裏温度改善構造は、屋根材５の裏面側及び／又は小屋裏７に、カーボンシート２が、その一部を屋外側６に臨ませるように設けられている。【選択図】      図１
2007327211.tif 000002
【特許請求の範囲】
【請求項１】
金属製屋根板の裏面部に、カーボンシートが、有雪部分と、日射を受ける無雪部分とにわたすように設けられていることを特徴とする屋根融雪構造。
【請求項２】
カーボンシートが、有雪部分と、日射を受ける無雪部分とにわたすように設けられていることを特徴とする融雪構造。
【請求項３】
日射を受ける無雪部分を形成する局部融雪機構が備えられている請求項１又は２に記載の融雪構造。
【請求項４】
屋根材の裏面側及び／又は小屋裏に、カーボンシートが、その一部を屋外側に臨ませるように設けられていることを特徴とする小屋裏温度改善構造。
【発明の詳細な説明】
【技術分野】
【０００１】
本発明は、融雪構造及び小屋裏温度改善構造に関する。
【背景技術】
【０００２】
積雪地域において屋根等に積もった雪の融雪は、従来より様々な方法で行われているが、無電気で効果的に融雪するものは、大掛かりなものであったり、構造が複雑なものになりやすいという問題がある。
【０００３】
また、温暖地域等において、夏季等における小屋裏の温度改善方法についても、従来より種々のものが提供されているが、無電気で効果的に改善することができるものは見当たらない。
【特許文献１】特開平１１−６２３１７号公報
【特許文献２】特開２０００−２４０２４２号公報
【発明の開示】
【発明が解決しようとする課題】
【０００４】
本発明は、上記のような問題点に鑑み、無電気で効果的に融雪することができ、しかも、それを、大掛かりにならず、簡素な構造で実現することができる融雪構造を提供することを課題とする。
【０００５】
また、本発明は、小屋裏の温度を無電気で効果的に改善することができる小屋裏温度改善構造を提供することを課題とする。
【課題を解決するための手段】
【０００６】
上記の課題は、金属製屋根板の裏面部に、カーボンシートが、有雪部分と、日射を受ける無雪部分とにわたすように設けられていることを特徴とする屋根融雪構造によって解決される（第１発明）。
【０００７】
なお、カーボンシートは、グラファイトシートなどとも称されているシート材料で、膨張黒鉛を高温加熱してシート状に成形したもので、層状結晶構造を有し、面方向において大きな熱伝導率を有する一方、厚さ方向における熱伝導率は面方向に比べて相対的に小さいという特有の熱伝導特性を有するものである。
【０００８】
上記の屋根融雪構造では、面方向における熱伝導性が厚さ方向における熱伝導性よりも高いカーボンシートを採用していることにより、日射を受ける無雪部分に存在するカーボンシート部分に伝えられた日射熱は、有雪部分に存在するカーボンシート部分に対して広範囲にすばやく伝えられ、その熱によって有雪部分の雪が融かされ、屋根に積もった雪を無電気で効果的に融雪することができる。
【０００９】
しかも、カーボンシートはシート状のものであるから、金属製屋根板の裏面部にスペース的に有利に、しかも、施工容易に設けることができると共に、カーボンシート単独で融雪効果が発揮されるから、構造も簡素である。
【００１０】
更に、カーボンシートは、金属製屋根板の裏面部に備えられているので、日射熱は金属製屋根板を通じてカーボンシートに効率良く伝えられ、しかも、金属製屋根板によって守られる。
【００１１】
また、上記の課題は、カーボンシートが、有雪部分と、日射を受ける無雪部分とにわたすように設けられていることを特徴とする融雪構造によって解決される（第２発明）。即ち、本発明の融雪構造は屋根に限らず、各所に使用して、無電気で効果的に融雪することができ、しかも、それを、大掛かりにならず、簡素な構造で実現することができる。
【００１２】
上記の第１，第２発明において、日射を受ける無雪部分を形成する局部融雪機構が備えられているとよい（第３発明）。この場合は、有雪部分と無雪部分とが自然には形成されないような場合でも、それを確実に形成することができるようになり、しかも、局部融雪機構は、電気式のものであるか、無電気式のものであるかを問わず、局部的な融雪を行うことができるものであればよく、大掛かりにならず、大きな設置スペースも必要とせず、電気を使用する場合であっても、その電力使用量を少なく抑えることができる。
【００１３】
また、上記の課題は、屋根材の裏面側及び／又は小屋裏に、カーボンシートが、その一部を屋外側に臨ませるように設けられていることを特徴とする小屋裏温度改善構造によって解決される。
【００１４】
この小屋裏温度改善構造では、同じく面方向における熱伝導性が厚さ方向における熱伝導性よりも高いカーボンシートを採用していることにより、カーボンシートが屋根材の裏面側及び／又は小屋裏で受けた熱は、カーボンシートの屋外側に臨ませた部分に対して広範囲にすばやく伝えられ、その熱が屋外側に放熱されて、小屋裏の温度を効果的に改善することができる。特に、カーボンシートが屋根材の裏面側に備えられている場合は、小屋裏温度の改善を、大掛かりにならず、簡素な構造で実現することができる。
【発明の効果】
【００１５】
本発明の屋根融雪構造及び融雪構造は、以上のとおりのものであるから、無電気で効果的に融雪することができ、しかも、それを、大掛かりにならず、簡素な構造で実現することができる。
【００１６】
また、本発明の小屋裏温度改善構造は、小屋裏の温度を無電気で効果的に改善することができる。
【発明を実施するための最良の形態】
【００１７】
次に、本発明の実施最良形態を図面に基づいて説明する。
【００１８】
図１（イ）に示す第１実施形態は、屋根融雪構造についてのもので、屋根１に積もった雪の、軒先部から棟側に向けてのセットバックを促進することを目的としており、そのため、軒先部１ａを日射を受ける無雪部分とし、それよりも棟側１ｂの領域を有雪部分とし、カーボンシート２は、金属製屋根板３の裏面部において、軒先部１ａから棟側１ｂの領域にわたるように設けられている。Ｓは積もった雪である。
【００１９】
なお、軒先部１ａが日射を受ける無雪部分に自然となる場合はいらないが、ならない場合は、軒先部１ａを日射を受ける無雪部分とするための、図示しない局部融雪機構が備えられているとよい。局部融雪機構としては、電気ヒーターなどが使用されてもよいし、特開２０００−２７４０１９号公報に記載されているような、網体部と空気層部を備えた軒先融雪器などが使用されてもよく、特に制限はない。
【００２０】
上記の屋根融雪構造では、図１（ロ）に示すように、無雪部分である軒先部１ａが日射を受けると、日射熱は金属製の屋根板３を通じて裏面側のカーボンシート２に伝えられ、その日射熱は、矢印で示すように、有雪部分１ｂに存在するカーボンシート部分に対して広範囲にすばやく伝えられ、その熱によって有雪部分の雪を棟側に速やかにセットバックさせていくことができる。しかも、カーボンシート２はシート状のものであるから、金属製屋根板の裏面部にスペース的に有利に、しかも、施工容易に設けることができる。
【００２１】
図２（イ）に示す第２実施形態は、小屋裏温度改善構造についてのもので、屋根材５の裏面側に、カーボンシート２が、その一端側２ａを屋外側としての棟換気の排気口６に突出させるように臨ませ、他端側が軒先側に向けて延ばされるよう設けられている。
【００２２】
この小屋裏温度改善構造では、図２（ロ）に示すように、カーボンシート２が日射や小屋裏の空気などにより屋根材５の裏面側で受けた熱は、カーボンシート２の棟換気排気口６に突出させた部分２ａに対して広範囲にすばやく伝えられ、その熱が棟換気排気口６を通じて屋外に放熱されて、小屋裏７の温度を無電気で効果的に改善することができ、小屋裏温度を下げることができる。しかも、カーボンシート２はシート状のものであるから、屋根材５の裏面側にスペース的に有利に、しかも、施工容易に設けることができる。
【００２３】
以上に、本発明の実施形態を示したが、本発明はこれに限られるものではなく、発明思想を逸脱しない範囲で各種の変更が可能である。例えば、上記の実施形態における屋根融雪構造は、屋根に積もった雪を軒先部から棟側に促進的にセットバックさせるための融雪構造に構成した場合を示したが、第１発明の屋根融雪構造は、これに限らず、屋根に、有雪部分と、日射を受ける無雪部分とが形成される場合の融雪構造として広く用いることができるものである。
【００２４】
また、上記の実施形態では、屋根の融雪構造に構成した場合を示したが、第２発明の融雪構造は、屋根に限らず、有雪部分と、日射を受ける無雪部分とが形成される各所に適用することができるものであることは、上にも述べたとおりである。
【００２５】
更に、上記の実施形態における小屋裏温度改善構造では、屋根材の裏面側にカーボンシートが設けられている場合を示したが、小屋裏、あるいは、屋根材の裏面側と小屋裏の両方に設けられていてもよい。
【００２６】
また、第３発明における小屋裏温度改善構造において、カーボンシートを屋根材の裏面側に設ける場合には、そのカーボンシートは、屋根材の受ける日射による熱のみを屋外側に放熱するようになされていてもよいし、小屋裏の内部の熱のみを屋外側に放熱するようになされていてもよいし、その両方であってもよい。
【００２７】
更に、上記の実施形態では、カーボンシートの一部を棟換気排気口６に突出させた場合を示したが、カーボンシートの一部である放熱部は各所を通じて屋外側に臨ませられていればよい。
【図面の簡単な説明】
【００２８】
【図１】図（イ）は第１実施形態の屋根融雪構造を示す正面図、図（ロ）はその作動状態を示す正面図である。
【図２】図（イ）は第２実施形態の小屋裏温度改善構造を示す正面図、図（ロ）はその作動状態を示す正面図である。
【符号の説明】
【００２９】
１…屋根
１ａ…軒先部（日射を受ける無雪部分）
１ｂ…棟側（有雪部分）
２…カーボンシート
３…金属製屋根板
５…屋根材
６…棟換気排気口（屋外側）
７…小屋裏
【図１】
2007327211.tif 000003
【図２】
2007327211.tif 000004